(57)【要約】【課題】  レポート作成作業の全体の処理を支援する二重読影支援システムを提供すること。【解決手段】  診断医端末５−１からレポートサーバ１１にレポート作成依頼情報Ｓ４が送られると、レポートサーバ１１はレポート情報（フォーム）Ｓ５−１、Ｓ５−２を作成する。読影医がレポートを作成する場合、レポート作成端末１３−１の入力に応じてレポートサーバ１１はレポート情報（実体）Ｓ５−１を作成し、レポート作成端末１３−２の入力に応じてレポートサーバ１１はレポート情報（実体）Ｓ５−２を作成する。【選択図】  図１３
2006309550.tif 000002
【特許請求の範囲】
【請求項１】
画像撮影装置で撮影された画像に対して二重読影を行う二重読影支援システムであって、
サーバと、
前記サーバに接続された診断医端末と、
を具備し、
前記診断医端末が前記サーバに対してレポート作成依頼情報を送信すると、
前記サーバは、前記レポート作成依頼情報に対応する複数のレポート情報の基礎情報を生成することを特徴とする二重読影支援システム。
【請求項２】
複数の前記レポート情報の基礎情報は、前記レポート作成依頼情報と紐付けられていることを特徴とする請求項１記載の二重読影支援システム。
【請求項３】
前記サーバに接続された複数のレポート作成端末を更に具備し、
前記レポート作成端末は、
前記複数のレポート情報の基礎情報のうちいずれかを選択して、データを入力し、レポート情報を作成して前記サーバに送り、
前記サーバは前記複数のレポート端末から送られてくる複数の前記レポート情報を保持することを特徴とする請求項２記載の二重読影支援システム。
【請求項４】
前記サーバに接続された端末から前記サーバ内の前記レポート情報を検索する場合、
前記端末からレポート作成依頼情報が前記サーバに送られ、
前記サーバは、このレポート作成依頼情報に紐付けられた複数のレポート情報を検索することを特徴とする請求項３記載の二重読影支援システム。
【発明の詳細な説明】
【技術分野】
【０００１】
本発明は、画像撮影装置等で撮影された画像等を複数の読影医が読影してレポートを作成する二重読影支援システムに関するものである。
【背景技術】
【０００２】
医療分野では画像撮影装置で撮影された放射線画像を参照し、読影医がその画像から得られる所見を読影レポートにまとめる読影レポートシステムが存在する。さらに、２人の異なる読影医が、同一の画像に対して、夫々独立して、読影を行いレポートを作成することもある（二重読影）。
【０００３】
このようなレポートを作成するものとして、例えば医用レポートシステム（特許文献１）が存する。
【０００４】
【特許文献１】特開２００１−１２５９９５号
【０００５】
ところで、このような読影レポートシステムを支援する種々の支援システムが存在する。
【０００６】
例えば、読影医がレポートを作成するためのデータを入力する際に用いるデバイス、テンプレート、定型文、構造化入力ツール等を提供する入力支援システムがある。
【０００７】
また、読影医が読影を行う際、被検体の異なる部位の画像や異なる時点の画像を並べたり重ねたりすることで画像の特徴を見つけ出す支援システムがある。
更に、関連する所見や画像を簡便な操作で呼び出したり、或いは自動的に表示するシステムも存する。
【発明の開示】
【発明が解決しようとする課題】
【０００８】
しかしながら、これらの支援システムは読影医がレポートを作成する時点での支援システムであり、読影レポートシステム全体の処理を支援するものではなくレポート作成作業の全体の処理を支援する支援システムが望まれていた。
【０００９】
本発明は、以上の問題点に鑑みてなされたものであり、その目的とするところは、レポート作成作業の全体の処理を支援する二重読影支援システムを提供することにある。
【課題を解決するための手段】
【００１０】
前述した目的を達成するために第１の発明は、画像撮影装置で撮影された画像に対して二重読影を行う二重読影支援システムであって、サーバと、前記サーバに接続された診断医端末と、を具備し、前記診断医端末が前記サーバに対してレポート作成依頼情報を送信すると、前記サーバは、前記レポート作成依頼情報に対応する複数のレポート情報の基礎情報を生成することを特徴とする二重読影支援システムである。
【００１１】
複数の前記レポート情報の基礎情報は、前記レポート作成依頼情報と紐付けられている。
【００１２】
そして、前記サーバに接続された複数のレポート作成端末を更に具備し、前記レポート作成端末は、前記複数のレポート情報の基礎情報のうちいずれかを選択して、データを入力し、レポート情報を作成して前記サーバに送り、前記サーバは前記複数のレポート端末から送られてくる複数の前記レポート情報を保持する。
【００１３】
そして、前記サーバに接続された端末から前記サーバ内の前記レポート情報を検索する場合、前記端末からレポート作成依頼情報が前記サーバに送られ、前記サーバは、このレポート作成依頼情報に紐付けられた複数のレポート情報を検索する。
【発明の効果】
【００１４】
本発明によれば、レポート作成作業の全体の処理を支援する二重読影支援システムを提供することができる。
【発明を実施するための最良の形態】
【００１５】
以下、図面を参照しつつ本発明の実施の形態に係る二重読影支援システムについて詳細に説明する。
【００１６】
図１は、二重読影支援システム１の概略構成図である。管理サーバ３に診断医端末５−１、５−２、５−３、…が接続される。管理サーバ３に画像撮影装置７、レポートサーバ１１が接続され、画像撮影装置７に画像処理装置９が接続される。レポートサーバ１１には複数のレポート作成端末１３−１、１３−２、…が接続される。管理サーバ３とレポートサーバ１１によりサーバ１５が構成される。画像処理装置１１に表示装置１４−１、１４−２、…が接続される。
【００１７】
診断医端末５は放射線医師等が用いるもので、例えば画像撮影装置７がＸ線診断装置であれば、画像撮影装置７に対して患者のＸ線撮影の指示等を行う。管理サーバ３は診断医端末５からの指示を受け付け、画像診断措置７やレポートサーバ１１に指示を行う。
【００１８】
画像撮影装置７は所謂モダリティであり、例えばＸ線診断装置、ＣＴ(Computed
Tomography)、ＭＲＩ(Magnetic Resonance Imaging)等である。画像撮影装置７は複数備えられていてもよい。画像処理装置９は画像撮影装置７で撮影した画像を保存等する。
【００１９】
レポートサーバ１１は管理サーバ３からの指示に応じてレポート情報（フォーム）Ｓ５を作成したり、レポート作成端末１３から送られるレポート情報（実体）Ｓ５を保存する。
【００２０】
ここで、レポート情報(フォーム)Ｓ５とは、レポートを作成するための基礎情報であり、具体的にはレポートフォームであり、読影医による実体部分のデータは書き込まれていない。
【００２１】
レポート情報（実体）Ｓ５は、レポート情報(フォーム)Ｓ５に対して読影医による実体部分のデータが書き込まれたものである。
レポート作成端末１３−１、１３−２は読影医が用いる。レポート作成端末１３−1、１３−２の近傍に表示装置１４−１、１４−２があり、この表示装置１４−１、１４−２は画像処理装置９と接続され、画像処理装置９に保持された画像が表示装置１４−１、１４−２に表示される。
【００２２】
例えば、読影医は、表示装置１４-１に表示された画像を参照しつつ、レポートを作成するが、レポート作成端末１３−１からデータが入力され、レポート情報（実体）Ｓ５−１が作成され、レポートサーバ１１に送られる。また、別の読影医は、表示装置１４-２に表示された画像を参照しつつ、レポートを作成するが、レポート作成端末１３−２からデータが入力され、レポート情報（実体）Ｓ５−２が作成され、レポートサーバ１１に送られる。
【００２３】
図２は管理サーバ３の構成を示すブロック図である。管理サーバ３は制御部２３、記録装置２５、メディア入出力部２７、通信制御部２９、入力部３１、表示部３３、プリンタポート３５等を有し、これらがバス２１に接続されている。
【００２４】
制御部２３はＣＰＵ、ＲＯＭ、ＲＡＭ等を有し、ＣＰＵは記録装置２５に記録されたプログラムに基づき各種処理を行う。記録装置２５はハードディスク装置であり、プログラムやデータ等を記録する。メディア入出力部２７はＣＤ−ＲＯＭ等のデータを読み取ったり、他の記録媒体にデータを書き込んだりする。
【００２５】
通信制御部２９はネットワークとの間の通信制御を行う。入力部３１はキーボード、マウス等であり、表示部３３はディスプレイ等であり、プリンタポート３５にはプリンタ（図示せず）が接続される。
診断医端末５、レポートサーバ１１、レポート作成端末１３も管理サーバ３と同様の構成を有する。
【００２６】
次に、各種情報について説明する。図３から図７は二重読影支援システム１で送受信される情報の構造を示す図である。これらの情報はＤＩＣＯＭ（Digital Imaging and Communications in Medicine）の規格に従ったものである。ＤＩＣＯＭで取り扱われるデータはタグの集合であり、各タグはＩＤとデータを有する。
【００２７】
図３は撮影依頼情報Ｓ１を示すもので、撮影依頼情報Ｓ１は前述したタグの形式をとり、依頼名ＩＤ４１とデータ４３を有する。撮影依頼情報Ｓ１は診断医端末５から管理サーバ３を介して画像撮影装置７に送られる。依頼名ＩＤは撮影依頼情報Ｓ１を特定する識別情報である。データ４３は画像撮影装置７に対する撮影の情報である。
【００２８】
図４は画像情報Ｓ２を示すもので、画像情報Ｓ２は画像名ＩＤ４５とデータ４７を有する。画像情報Ｓ２は画像撮影装置７で撮影された画像情報であり、画像処理装置９に保持される。画像名ＩＤ４５は画像情報Ｓ２を特定する識別情報である。データ４７は画像撮影装置７で撮影された画像データである。
【００２９】
図５は撮影終了情報Ｓ３を示すもので、撮影終了情報Ｓ３はＩＤ４９、データ５１を有する。撮影終了情報Ｓ３は画像撮影装置７により撮影が終了するとレポートサーバ１１に送られる。ＩＤ４９は撮影終了情報Ｓ３を特定する識別情報である。データ５１は撮影が終了したことを示す情報である。
【００３０】
図６はレポート作成依頼情報Ｓ４を示すもので、レポート作成情報Ｓ４は作成依頼名ＩＤ５３、データ５５を有する。レポート作成情報Ｓ４は診断医端末５から管理サーバ３を介してレポートサーバ１１に送られる。作成依頼名ＩＤはレポート作成情報Ｓ４を特定する識別情報である。データ５５はレポートの作成依頼を示す情報である。
【００３１】
図７はレポート情報Ｓ５を示すもので、レポート情報Ｓ５はレポート名ＩＤ５７、データ５９を有する。そして、レポート情報Ｓ５は参照情報Ｓ６に紐付けられる。レポート名ＩＤ５７はレポート情報Ｓ５を特定する識別情報である。データ５９は、レポート情報（フォーム）Ｓ５の場合、レポートのフォームを形成する情報であり、レポート情報（実体）Ｓ５の場合、そのフォームに読影医の書き込んだデータが挿入されたものである。
【００３２】
参照情報Ｓ６はＩＤ６１、データ６３を有する。ＩＤ６１は参照情報Ｓ６を特定する識別情報である。データ６３としてレポート作成依頼情報Ｓ４の作成依頼名ＩＤ５３が格納される。レポート情報Ｓ５はレポートサーバ１１で基礎情報としてのフォームが生成され、読影医がレポート作成端末１３を介してデータの入力を行うことによりレポート情報（実体）Ｓ５が作成される。
【００３３】
次に、二重読影支援システム１の動作について説明する。図８から図１１は二重読影支援システム１で行われる処理を示すフローチャートであり、図１２はレポート情報を示す図であり、図１３はレポート情報の流れを示す図である。以下のフローチャートに示される処理は、診断医端末５、管理サーバ３、レポートサーバ１１等の制御部が行う。
【００３４】
図８に示すように、例えば診断医が画像撮影装置７を用いて撮影を行いたい場合、診断医端末５−１から撮影依頼情報Ｓ１が管理サーバ３を介して画像撮影装置７に送られる（ステップ８０１）。画像撮影装置７は撮影依頼情報Ｓ１を受信すると（ステップ８０２）、披検体の撮影を行い（ステップ８０３）、撮影された画像情報Ｓ２を画像処理装置９に送る（ステップ８０４）。画像処理装置９は画像情報Ｓ２を受け取り（ステップ８０５）、保存する（ステップ８０６）。
【００３５】
一方、画像撮影装置７はレポートサーバ１１に対して撮影終了情報Ｓ３を送り（ステップ８０７）、レポートサーバ１１が撮影終了情報Ｓ３を受信する（ステップ８０８）。
また、読影医に対してレポート作成を依頼するため、診断医端末５−１からレポート作成依頼情報Ｓ４が送信され（ステップ８０９）、レポートサーバ１１が受信する（ステップ８１０）。ここで、レポート作成依頼情報Ｓ４の作成依頼ＩＤ５３を例えば「１００」とする。
【００３６】
次に、図９に示すようにレポートサーバ１１はレポート作成依頼情報Ｓ４を受信すると、撮影終了情報Ｓ３が画像撮影装置７から送られてきたか、更に画像処理装置９に撮影された画像情報Ｓ２が存在するかを判定し（ステップ９０１）、いずれも存在すれば２つのレポート情報（フォーム）Ｓ５−１、Ｓ５−２を作成する（ステップ９０２）。この段階のレポート情報Ｓ５−１、Ｓ５―２はレポートのフォームであり、読影医による実体部分のデータは書き込まれていない。
【００３７】
次に、２つのレポート情報Ｓ５−１、Ｓ５−２と元になったレポート作成依頼情報Ｓ４とを紐付ける（ステップ９０３）。
図１２はステップ９０３の処理を示す図であり、レポート情報Ｓ５−１に対して参照情報Ｓ６が紐付けられる。レポート情報Ｓ５−１のレポート名ＩＤ５７は例えば「１０１」であり、このとき参照情報Ｓ６のデータ６３にレポート作成依頼情報Ｓ４の作成依頼名ＩＤ５３が書き込まれる。すなわち、データ６３に「１００」が書き込まれる。
【００３８】
また、レポート情報Ｓ５−２に対しても参照情報Ｓ６が紐付けられる。レポート情報Ｓ５−２のレポート名ＩＤ５７は例えば「１０２」である。
【００３９】
図９に戻り、レポートサーバ１１は２つのレポート情報Ｓ５−１、Ｓ５−２をレポート情報リスト（図示せず）に加える（ステップ９０４）。
【００４０】
図１０に示すように、読影医が読影を行う場合、レポート作成端末１３−１がレポートサーバ１１にアクセスし（ステップ１００１）、レポート作成端末１３−１にレポート情報リストが表示される（ステップ１００２）。読影医の指示に応じてレポート情報リストの中の所定のレポートが選択され（ステップ１００３）、レポート作成開始情報がレポートサーバ１１に送信される（ステップ１００４）。
【００４１】
レポートサーバ１１はレポート作成開始情報を受信すると（ステップ１００５）、選択されたレポートに対して他の読影医の選択を不可にし（ステップ１００６）、選択されたレポート情報（フォーム）Ｓ５−１をレポート作成端末１３−１に送り、レポート作成端末１３−１ではレポート情報（フォーム）Ｓ５が表示される（ステップ１００８）。
【００４２】
このとき、レポート作成端末１３−１の近傍の表示装置１４−１には画像処理装置９に保持された被検体の画像が表示されている。
読影医はこの画像を参照し、レポート作成端末１３−１に表示されたレポート情報（フォーム）Ｓ５に対してデータの書き込みを行う。すなわち、レポート作成端末１３−１はレポート情報（フォーム）Ｓ５に対してデータの入力を行い、レポート情報(実体)Ｓ５を作成する（ステップ１００９）。なお、表示装置１４−１に画像を表示する代わりに、読影医が、画像を記録したフィルムや、写真を参照してレポートを作成してもよい。
【００４３】
レポート作成端末１３−１は、レポート情報(実体)Ｓ５をレポートサーバ１１に送信し(ステップ１０１０)、レポートサーバ１１はレポート作成端末１３−１から送られてくるデータを用いてレポート情報(実体)Ｓ５を保存する（ステップ１０１１）。
【００４４】
また、別の読影医（第２の読影医）は、レポート作成端末１３−２、表示装置１４−２を用いて、同一の被検体の画像を参照して、同様にレポート情報（フォーム）Ｓ５−２に対してデータの書き込みを行い、レポートサーバ１１にレポート情報（実体）Ｓ５−２が保存される。
なお、別の読影医（第２の読影医）がレポート作成端末１３−１、表示装置１４−１を用いて読影を行い、レポートを作成してもよい。
【００４５】
このようにして、同一の被検体の画像に対して、異なる読影医により作成された２つのレポート情報(実体)Ｓ５−１、Ｓ５−２がレポートサーバ１１に保持される。
【００４６】
図１１は、例えば診断医がレポートサーバ１１に保持された２つのレポート情報を検索する場合の処理を示す。診断医端末５−１上で閲覧したいレポートが選択されると、このレポートに対応するレポート作成依頼情報Ｓ４がレポートサーバ１１に送信される（ステップ１１０１）。レポートサーバ１１はこのレポート作成依頼情報Ｓ４を受信すると（ステップ１１０２）、レポート作成依頼情報Ｓ４の作成依頼名ＩＤ５３と同じ作成依頼名ＩＤを参照情報Ｓ６のデータ６３に持つ２つのレポート情報（実体）Ｓ５−１、Ｓ５−２を検索して診断医端末５−１に送信し（ステップ１１０２）、診断医端末５−１は２つのレポート情報（実体）Ｓ５−１、Ｓ５−２を受信する（ステップ１１０３）。
【００４７】
したがって、診断医端末５−１を使用する診断医は、一回の操作で異なる読影医が作成した２つのレポートを取得することができる。
図１３は２つのレポート情報の作成と検索の概要を示す図である。診断医端末５−１からレポートサーバ１１にレポート作成依頼情報Ｓ４が送られると、レポートサーバ１１はレポート情報（フォーム）Ｓ５−１、Ｓ５−２を作成する。
【００４８】
レポート作成依頼情報Ｓ４の作成依頼名ＩＤ５３を「１００」とし、レポート情報（フォーム）Ｓ５−１のＩＤ５７を「１０１」とし、レポート情報（フォーム）Ｓ５−２のＩＤ５７を「１０２」とする。
【００４９】
このとき、レポート情報Ｓ５−１には参照情報Ｓ６が紐付けられ、参照情報Ｓ６のデータ６３に作成依頼名ＩＤ５３の「１００」が書き込まれる。同様に、レポート情報Ｓ５−２も参照情報Ｓ６に紐付けられる。
【００５０】
読影医がレポートを作成する場合、レポート作成端末１３−１はレポート情報（実体）Ｓ５−１を作成し、レポートサーバ１１はレポート情報（実体）Ｓ５−１を保存する。また、別の読影医がレポートを作成する場合、レポート作成端末１３−２はレポート情報（実体）Ｓ５−２を作成し、レポートサーバ１１はレポート情報（実体）Ｓ５−２を保存する。
【００５１】
そして、診断医端末５−１からレポートの検索をする場合、ＩＤが「１００」のレポート作成依頼情報Ｓ４が送られると、レポートサーバ１１は参照情報Ｓ６を検索し、データ部に作成依頼名ＩＤの「１００」が書き込まれた参照情報Ｓ６を検索し、この参照情報Ｓ６に紐付けられたレポート情報を抽出する。すなわち、参照情報Ｓ６が検索され、これに紐付けられているレポート情報Ｓ５−１、Ｓ５−２が検索され、診断医端末５−１に送られる。
【００５２】
このように、本実施の形態によれば、診断医端末５からレポート作成依頼情報Ｓ４をレポートサーバ１１に送ると、レポートサーバ１１で、自動的に複数のレポートのフォームが作成される。したがって、二重読影を行う場合、レポート情報のフォームを、個別に作成する必要がない。
【００５３】
また、診断医端末５等からレポート作成依頼情報Ｓ４の作成依頼名ＩＤ５３を送ると、２つの異なるレポート情報Ｓ５−１、Ｓ５−２が検索される。したがって、二重読影されたレポートを検索する場合、レポート情報Ｓ５−１、Ｓ５−２をそれぞれ読み出す必要がなく、一度の操作で２つの異なるレポート情報Ｓ５−１、Ｓ５−２が検索することができる。
【００５４】
このように、二重読影を行う場合のレポート作成作業を全体として支援することができる。
【００５５】
以上、添付図面を参照しながら、本発明に係る情報提供システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【図面の簡単な説明】
【００５６】
【図１】本発明の第１の実施の形態に係る二重読影支援システム１の構成を示す図
【図２】管理サーバ３の構成を示す図
【図３】撮影依頼情報Ｓ１を示す図
【図４】画像情報Ｓ２を示す図
【図５】撮影終了情報Ｓ３を示す図
【図６】レポート作成依頼情報Ｓ４を示す図
【図７】レポート情報Ｓ５を示す図
【図８】二重読影支援システム１の動作を示すフローチャート
【図９】二重読影支援システム１の動作を示すフローチャート
【図１０】二重読影支援システム１の動作を示すフローチャート
【図１１】二重読影支援システム１の動作を示すフローチャート
【図１２】レポート情報を示す図
【図１３】レポート情報の作成と検索を示す図
【符号の説明】
【００５７】
１………二重読影支援システム
３………管理サーバ
５………診断医端末
７………画像撮影装置
９………画像処理装置
１１………レポートサーバ
１３………レポート作成端末
【図１】
2006309550.tif 000003
【図２】
2006309550.tif 000004
【図３】
2006309550.tif 000005
【図４】
2006309550.tif 000006
【図５】
2006309550.tif 000007
【図６】
2006309550.tif 000008
【図７】
2006309550.tif 000009
【図８】
2006309550.tif 000010
【図９】
2006309550.tif 000011
【図１０】
2006309550.tif 000012
【図１１】
2006309550.tif 000013
【図１２】
2006309550.tif 000014
【図１３】
2006309550.tif 000015